(57)【要約】      （修正有）【課題】デジタルサイネージ装置が設置された場所を適宜入手し、その場所に応じて表示させるコンテンツを設定するコンテンツ設定装置を提供する。【解決手段】コンテンツ設定装置２０は、現在位置を測定するセンサ及び表示部を有するデジタルサイネージ装置１０から、時間ごとに現在位置情報の受信する位置情報受信部２５１と、デジタルサイネージ装置１０の表示部１９が表示すべきコンテンツを記憶する記憶部２１と、位置情報受信部２５１で受信した現在位置情報が関連付けられた地域にあるかを判定する地域判定部２５３と、地域判定部２５３で現在位置情報が関連付けられた地域にあると判定された場合にコンテンツをデジタルサイネージ装置１０に送信するコンテンツ送受信部２５４と、を備える。【選択図】図１
2016143297.tif 000002
【特許請求の範囲】
【請求項１】
現在位置を測定するセンサ及び表示部を有するデジタルサイネージ装置から、時間ごとに現在位置情報の受信する位置情報受信部と、
前記デジタルサイネージ装置の前記表示部が表示すべきコンテンツを記憶するコンテンツ記憶部と、
前記位置情報受信部で受信した現在位置情報が、前記コンテンツに関連付けられた地域にあるかを判定する地域判定部と、
前記地域判定部で前記現在位置情報が前記関連付けられた地域にあると判定された場合に、前記コンテンツを前記デジタルサイネージ装置に送信する送信部と、
を備えるコンテンツ設定装置。
【請求項２】
前記表示部に表示されるコンテンツのスケジュールを設定するスケジュール設定部を備え、
前記コンテンツは、前記デジタルサイネージ装置の前記表示部に前記スケジュールに従って表示される請求項１に記載のコンテンツ設定装置。
【請求項３】
前記表示部を複数の表示領域に分けるとともに、複数の前記表示領域ごとに前記コンテンツを割り当て指示する割り当て指示部を備え請求項１又は請求項２に記載のコンテンツ設定装置。
【請求項４】
前記コンテンツを受領するための画面をクライアントが有するクライアント端末に送信する画面送信部を備え、前記画面送信部は、前記地域関連付け部による前記地域に関連付けて設定する画面も前記クライアント端末に送信する請求項１から請求項３のいずれか一項に記載のコンテンツ設定装置。
【請求項５】
前記記憶部は、前記地域ごとに分けられた有用情報を含む地域データを有し、
前記画像送信部は、前記地域データを前記デジタルサイネージ装置に送信する請求項１から請求項４のいずれか一項に記載のコンテンツ設定装置。
【請求項６】
現在位置を測定するセンサ及び表示部を有するデジタルサイネージ装置から、時間ごとに現在位置情報の受信する工程と、
前記位置情報の受信工程で受信した現在位置情報が、複数に区分けされた地域に関連付けて設定する地域にあるかを判定する地域判定工程と、
前記地域判定部で前記現在位置情報が前記関連付けられた地域にあると判定された場合に、前記コンテンツを前記デジタルサイネージ装置に送信する工程と、  
を備えるコンテンツ表示方法。
【請求項７】
現在位置を測定するセンサ及び表示部を有するデジタルサイネージ装置と該デジタルサイネージ装置へコンテンツを送信するコンテンツ設定装置とからなる広告提供システムにおいて、
前記コンテンツ設定装置は、
前記デジタルサイネージ装置から、時間ごとに現在位置情報の受信する位置情報受信部と、
前記デジタルサイネージ装置の前記表示部が表示すべきコンテンツ及びこのコンテンツに関連する発信コンテンツを記憶するコンテンツ記憶部と、
前記位置情報受信部で受信した現在位置情報が、前記コンテンツに関連付けられた地域にあるかを判定する地域判定部と、
前記地域判定部で前記現在位置情報が前記関連付けられた地域にあると判定された場合に、前記コンテンツ及び前記発信コンテンツを前記デジタルサイネージ装置に送信する第１送信部と、を備え、
前記デジタルサイネージ装置は、
前記コンテンツを表示する表示部と、
ユーザーが携帯する携帯端末が前記デジタルサイネージ装置に近づいた際に、前記発信コンテンツを前記携帯端末に送信する第２送信部と、を備える広告提供システム。
【発明の詳細な説明】
【技術分野】
【０００１】
本発明は、複数のデジタルサイネージ装置それぞれに対して画像コンテンツの表示内容を設定するコンテンツ設定装置、コンテンツ設定方法及びそのコンテンツ設定装置を有する広告提供システムに関する。
【背景技術】
【０００２】
多くの場所にデジタルサイネージ装置を配置しておき、このデジタルサイネージ装置に画像コンテンツを配信して表示させることにより宣伝効果を得る技術、すなわちデジタルサイネージがある。このデジタルサイネージは、場所や時間に応じて適宜表示を変えることができるため、ターゲットとする消費者に効率良く電子広告を発信することができ、従来のポスターやネオンサインに変わる広告媒体として注目されている。
【０００３】
デジタルサイネージは、通信ネットワークに接続され、遠隔地にある広告配信業者のサーバの制御により配信される電子広告情報を受信して表示するシステムに組み込まれたものも多く存在する。
【０００４】
このようなシステムの一例として、特許文献１に記載のサイネージシステムがある。このシステムにおいては、共通のフォーマットおよびシーケンスを使用することにより、時間枠に表示させる電子広告の配信を適切に処理している。
【先行技術文献】
【特許文献】
【０００５】
【特許文献１】特開２０１０−１８２２０２号公報
【発明の概要】
【発明が解決しようとする課題】
【０００６】
しかし、特許文献１に示されるデジタルサイネージ装置は、ある一カ所に固定されているデジタルサイネージ装置を想定している。このような場合には、設置した場所を予め登録しておけばよいが、短い期間のイベントに貸出しされる移動式のデジタルサイネージ装置、又は移動するトラック等に載置されるデジタルサイネージ装置では、どこにサイネージ装置があるか場所を特定できない等の問題がある。
【０００７】
本発明は、デジタルサイネージ装置が設置された場所を適宜入手し、その場所に応じて表示させるコンテンツを設定することができるコンテンツ設定装置、コンテンツ設定方法及びそのコンテンツ設定装置を有する広告提供システムを提供することを目的とする。
【課題を解決するための手段】
【０００８】
第１観点のコンテンツ設定装置は、現在位置を測定するセンサ及び表示部を有するデジタルサイネージ装置から、時間ごとに現在位置情報の受信する位置情報受信部と、デジタルサイネージ装置の表示部が表示すべきコンテンツを記憶するコンテンツ記憶部と、を備える。さらにコンテンツ設定装置は、位置情報受信部で受信した現在位置情報がコンテンツに関連付けられた地域にあるかを判定する地域判定部と、地域判定部で現在位置情報が関連付けられた地域にあると判定された場合にコンテンツをデジタルサイネージ装置に送信する送信部と、を備える。
【０００９】
さらに別観点のコンテンツ設定装置は、表示部に表示されるコンテンツのスケジュールを設定するスケジュール設定部を備え、コンテンツは、デジタルサイネージ装置の表示部にスケジュールに従って表示される。
また表示部を複数の表示領域に分けるとともに、複数の表示領域ごとにコンテンツを割り当て指示する割り当て指示部を備える。
さらに別観点のコンテンツ設定装置は、コンテンツを受領するための画面をクライアントが有するクライアント端末に送信する画面送信部を備え、画面送信部は、地域関連付け部による地域に関連付けて設定する画面もクライアント端末に送信する。
また、コンテンツ設定装置の記憶部は、地域ごとに分けられた有用情報を含む地域データを有し、画像送信部は、地域データをデジタルサイネージ装置に送信する。
【００１０】
第２観点のコンテンツ表示方法は、現在位置を測定するセンサ及び表示部を有するデジタルサイネージ装置から、時間ごとに現在位置情報の受信する工程と、位置情報の受信工程で受信した現在位置情報が、複数に区分けされた地域に関連付けて設定する地域にあるかを判定する地域判定工程と、地域判定部で現在位置情報が関連付けられた地域にあると判定された場合に、コンテンツをデジタルサイネージ装置に送信する工程と、を備える。
【００１１】
第３観点の広告提供システムは、現在位置を測定するセンサ及び表示部を有するデジタルサイネージ装置と該デジタルサイネージ装置へコンテンツを送信するコンテンツ設定装置とからなる。そのコンテンツ設定装置は、デジタルサイネージ装置から時間ごとに現在位置情報の受信する位置情報受信部と、デジタルサイネージ装置の表示部が表示すべきコンテンツ及びこのコンテンツに関連する発信コンテンツを記憶するコンテンツ記憶部と、位置情報受信部で受信した現在位置情報が、コンテンツに関連付けられた地域にあるかを判定する地域判定部と、地域判定部で現在位置情報が関連付けられた地域にあると判定された場合に、コンテンツ及び発信コンテンツをデジタルサイネージ装置に送信する第１送信部と、を備える。また、このデジタルサイネージ装置は、コンテンツを表示する表示部と、ユーザーが携帯する携帯端末がデジタルサイネージ装置に近づいた際に、発信コンテンツを携帯端末に送信する第２送信部と、を備える。
【発明の効果】
【００１２】
本発明のコンテンツ設定装置及び方法は、デジタルサイネージ装置が設置された場所を適宜入手し、その場所に応じて表示させるコンテンツを設定することができる。また本発明の広告提供システムは、携帯端末にデジタルサイネージ装置の位置に応じて適したコンテンツを表示させることができる。
【図面の簡単な説明】
【００１３】
【図１】本実施形態の広告提供システムＳＴの概要である。
【図２】移動型のデジタルサイネージ装置１０の一例である。
【図３】広告提供システムＳＴにおける広告コンテンツの配信設定までのフローチャートである。
【図４】クライアント端末９０を使い広告提供者が、全国、都道府県、及び主要地域に分けられた地域を特定する画面である。
【図５】クライアント端末９０を使い広告提供者が、広告コンテンツ等をアップロードする画面である。
【図６】割り当て指示部２５５が表示部２９に表示させた画面の一例である。
【図７】スケジュール設定部２５６が表示部２９に表示させた画面の一例である。
【図８】設定した広告コンテンツが配信される状態になっているかを確認する画面である。
【図９】広告提供システムＳＴにおける広告コンテンツの配信のフローチャートである。
【図１０】（Ａ）は、携帯端末３０に発信コンテンツが表示されるまでのフローチャートである。（Ｂ）は、携帯端末３０に表示された発信コンテンツの項目選択の例である。
【発明を実施するための最良の形態】
【００１４】
以下、図面を参照して本実施形態について詳細に説明する。なお、以下に説明する実施形態は、不動産に関する広告コンテンツを提供する広告提供システムに対して本発明を適用した場合である。しかし、本発明は、飲食店に関する広告コンテンツ、病院に関する広告コンテンツ、衣料品に関する広告コンテンツ等の場合にも適用できる。
【００１５】
［広告提供システムの構成及び機能概要］
先ず、本実施形態に係る広告提供システムＳＴの構成及び概要機能について説明する。
図１は、本実施形態に係る広告提供システムＳＴの概要構成の一例を示す図である。
【００１６】
図１に示すように、広告提供システムＳＴは、互いに異なる場所に設置された複数のデジタルサイネージ装置１０と、コンテンツ設定装置２０とを含んでいる。また、コンテンツ設定装置２０に複数のクライアント端末９０がネットワークを介して接続され、ユーザーが携帯する携帯端末３０がデジタルサイネージ装置１０が無線通信などを介して接続される。
【００１７】
デジタルサイネージ装置１０は、液晶又は有機ＥＬ等の表示部１９を有しており、移動可能である。また、コンテンツ設定装置２０は、クラウドコンピューティング又はサーバ装置である。また、携帯端末３０は、スマートフォン等の携帯電話、タブレット等の携帯型端末装置である。クライアント端末９０は、タブレット等の携帯型端末装置又はコンピュータである。
【００１８】
デジタルサイネージ装置１０、コンテンツ設定装置２０、及びクライアント端末９０は、通信手段としてのネットワークＮＷを介して相互にデータの送受信が可能になっている。ネットワークＮＷは、例えば、インターネット、専用通信回線（例えば、ＣＡＴＶ（Community Antenna Television）回線）、移動体通信網、及びゲートウェイ等を含む。また、デジタルサイネージ装置１０及び携帯端末３０は、無線信号をBluetooth（登録商標）やZigBee（登録商標）などの通信可能範囲が５ｍから１００ｍ程度の近距離通信で相互のデータの送受信が可能になっている。本実施形態では、このような無線通信を「近距離無線通信」ということにする。
【００１９】
［デジタルサイネージ装置の構成及び機能概要］
本実施形態のデジタルサイネージ装置１０は、電子掲示板電子ポスター、電子ボード、プロジェクタによって情報を表示する広告媒体なども含む概念である。デジタルサイネージ装置１０は、現在位置を測定するセンサであるＧＰＳ(Global Positioning System)受信機１５と、大型スクリーンを有する表示部１９とを有している。デジタルサイネージ装置１０の各々は、他と区別するため固有識別ＩＤ（identification）を有している。デジタルサイネージ装置１０の詳細は図２を使って後述する。
【００２０】
例えばデジタルサイネージ装置１０は、トラック等の大型自動車に搭載されていたり、観光バスに搭載されていたり、電車に搭載されていたり又は台車の上に搭載されている。このため、人力又は動力で任意の位置にデジタルサイネージ装置１０を移動させることができる。ＧＰＳ受信機１５は、ＧＰＳ衛星から出力される航法電波をアンテナを介して所定時間間隔で受信し、デジタルサイネージ装置１０の現在位置データ（経度及び緯度）を検出する。
【００２１】
［コンテンツ設定装置の構成及び機能概要］
コンテンツ設定装置２０は、複数のデジタルサイネージ装置１０に表示される広告提供者である不動産会社の広告コンテンツの表示内容を制御する表示制御サーバとしての機能、及びネットワークＮＷ上でサイネージ情報サイトを提供するＷｅｂサーバとしての機能を有する。
【００２２】
図１に示すように、コンテンツ設定装置２０は、記憶部２１と、キーボード又はマウス等の入力部２２と、ＣＰＵやＲＡＭ等からなる制御部２５と、液晶等の表示部２９とを備えている。そして、記憶部２１は、ハードディスクドライブ等により構成されており、広告提供者からの送られれてきた静止画、動画等の画像及び音声等の不動産の広告コンテンツ２１１、ユーザーの携帯端末３０に発信する発信コンテンツ２１３を記憶する。また記憶部２１は、デジタルサイネージ装置１０で音声や画像等を映すスケジュールを記憶したスケジュールデータ２１５を記憶する。さらに記憶部２１は、区分けされた地域及びその地域毎の有用な情報（イベント、避難場所など）の地域データ２１７、デジタルサイネージ装置１０の表示サイズ、及び固有識別ＩＤなどのデジタルサイネージデータ２１９を記憶している。なお、デジタルサイネージデータ２１９は、デジタルサイネージ装置１０の配置された位置が刻々と変わるため、後述する位置情報受信部２５１が受信した最新の現在位置データを含んでいる。
【００２３】
制御部２５は、位置情報受信部２５１、地域関連付け部２５２、地域判定部２５３、コンテンツ送受信部２５４、割り当て指示部２５５、スケジュール設定部２５６、入力画面送信部２５７及び表示期間判定部２５８を有してる。
位置情報受信部２５１は、デジタルサイネージ装置１０のＧＰＳ受信機１５が受信した現在位置情報をネットワークＮＷを介して受信する。地域関連付け部２５２は、広告コンテンツ２１１及び発信コンテンツ２１３を複数に区分けされた地域に関連付けて設定する。地域判定部２５３は、現在位置情報からどの地域にデジタルサイネージ装置１０があるかを判定する。ＧＰＳ受信機１５が受信した現在位置データは経度及び緯度であるため、地域判定部２５３は、それら経度及び緯度から地図情報を使って地域を判定する。
【００２４】
コンテンツ送受信部２５４は、クライアント端末９０から送られてきた広告コンテンツ２１１及び発信コンテンツ２１３を受信したり、現在位置情報に基づいてその地域のデジタルサイネージ装置１０に適合した広告コンテンツ２１１及び発信コンテンツ２１３を送信する。またコンテンツ送受信部２５４は、クライアント端末９０から送られてきた少なくとも広告コンテンツ２１１を受信すると、その広告コンテンツに対して自動的に与えられたコンテンツ番号をクライアント端末９０に送信する。
【００２５】
また、割り当て指示部２５５は、デジタルサイネージ装置１０の表示部１９のどこ領域にどの広告コンテンツ２１１を表示するかを割り当て（レイアウト）指示する画面を作成する。表示部１９は複数の領域に分割し、例えば上段領域及び下段領域の２分割で表示することができ、割り当て指示部２５５は、上段の領域にある不動産会社の広告コンテンツを表示し、下段の領域に別の不動産会社の広告コンテンツを表示するように指示できる。
【００２６】
また、スケジュール設定部２５６は、ある広告コンテンツ２１１を月曜日から金曜日に９時から１７時まで表示するように設定したり、別の広告コンテンツを土曜日及び日曜日に１０時から２０時まで表示するように設定したりする画面を作成する。
また、入力画面送信部２５７は、複数に区分けされた地域のどの地域に広告コンテンツを表示するかを入力する画面、広告コンテンツを表示する表示期間（Ａ年Ｂ月Ｃ日からＤ年Ｅ月Ｆ日）を入力する画面又は広告コンテンツをコンテンツ設定装置２０にアップロードする画面をクライアント端末９０に送信する。表示期間判定部２５８は、広告コンテンツがデジタルサイネージ装置１０に表示する表示期間内であるかを判定する。
【００２７】
［端末端末３０の構成及び機能概要］
端末端末３０は、広告コンテンツ又は地域情報などを表示するデジタルサイネージ装置１０に５ｍから１００ｍ程度の近距離に近づいたら、デジタルサイネージ装置１０から広告コンテンツ等を受信を有する端末である。端末端末３０は、例えば、タッチパネル等の入力部、入力データ又は画像等を表示する表示部３９、ＣＰＵ等を有する制御部と、フラッシュメモリ等を有する記憶部と、デジタルサイネージ装置１０との間で近距離無線通信を行う通信部とを備えている。具体的には、端末端末３０は、例えば、ユーザーが携帯するスマートフォン又はタブレット端末等である。
【００２８】
携帯端末３０は、デジタルサイネージ装置１０とパスキー（以下、認証コードという。）で登録（ペアリング）され接続される。ユーザーが、携帯端末３０にデジタルサイネージ装置１０と接続するためのアプリ（ソフトウエア）をダウンロードしておけば、そのアプリに含まれる認証データにより携帯端末３０はデジタルサイネージ装置１０に接続される。しかし、アプリをダウンロードしておかなくても、認証コードが固定値であれば、特に認証コードの入力がなくても、携帯端末３０とデジタルサイネージ装置１０とが接続可能である。携帯端末３０は、デジタルサイネージ装置１０から、後述する発信コンテンツ２１３及び地域データ２１７を受信し、それらのデータを表示部３９に表示させることができる。
【００２９】
［クライアント端末９０の構成及び機能概要］
クライアント端末は、広告提供者の有する端末であり、例えば、データを入力するキーボード等の入力部９２、入力データ又は画像等を表示する表示部９９、ＣＰＵ等を有する制御部と、フラッシュメモリ等を有する記憶部と、コンテンツ設定装置２０との間で通信を行うための通信部とを備えている。具体的には、クライアント端末９０は、例えば、スマートフォン，タブレット端末又はパーソナルコンピュータ等である。
【００３０】
クライアント端末９０は、不動産会社の不動産の広告コンテンツを扱う広告提供者が扱う。クライアント端末９０の記憶部（不図示）には、ＯＳ（オペレーティングシステム）及び各種アプリケーションプログラム、及び不動産の広告コンテンツが記憶されている。不動産の広告コンテンツは、テキストデータ、音声、又は静止画もしくは動画の画像を含む。
【００３１】
クライアント端末９０は、コンテンツ設定装置２０により提供されるサイネージ情報サイトに接続するため、通信部（不図示）を通じて該サイネージ情報サイトに接続する。そして、クライアントの広告提供者は、コンテンツ設定装置２０から送られてきた入力画面を表示部９９で確認しながら、入力部９２を介して不動産の広告コンテンツ２１１を流す地域を特定する。また、クライアントの広告提供者は、コンテンツ提供画面を表示部９９で確認しながら、記憶部に記憶された不動産の広告コンテンツ２１１及び発信コンテンツ２１３をアップロードしてコンテンツ設定装置２０に送信したりする。さらに広告提供者は、広告コンテンツを表示する表示期間、枠サイズ等も送信する。
【００３２】
［デジタルサイネージ装置の構成詳細］
図２は、デジタルサイネージ装置１０の構成を示すブロック図である。デジタルサイネージ装置１０は、例えば、内部記憶部１１、通信部１３、ＧＰＳ受信機１５、近距離無線通信部１７、表示制御部１８、および表示部１９を有し、それらはバスラインで接続されている。
【００３３】
内部記憶部１１は、表示部１９に表示するための画像及び音声等の広告コンテンツ２１１、ユーザーの携帯端末３０に発信する発信コンテンツ２１３を記憶する。内部記憶部１１は、地域毎の有用な情報（病院、避難場所など）の地域データ２１７、これらコンテンツもしくはデータに関する表示期間及び地域、並びにデジタルサイネージ装置１０を動作させるプログラム等を記憶する。発信コンテンツ２１３は、不動産物件又は展示会場への来場を促すため不動産物件又は展示会場に来場した場合に粗品を与えるクーポンなどである。
【００３４】
広告コンテンツ２１１は、例えば３０秒〜３０分の時間的長さを有する画像（静止画及び動画）及び音声等からなる。スケジュール管理するために、広告コンテンツの時間的長さは適度の決まり（３分、６分、１２分、１５分、３０分の五通り等）を設けておくことが好ましい。また、広告コンテンツ２１１は、コンテンツ送受信部２５４が広告コンテンツ２１１を受信するごとに、広告コンテンツ番号が付与され、その広告コンテンツ番号は、複数のコンテンツ情報の中から、１つのコンテンツ情報を識別するための識別情報となる（図８を参照。）。
【００３５】
通信部１３は、例えば携帯電話回線（３Ｇ）、又はＷｉ−Ｆｉ（Ｗｉｒｅｌｅｓｓ  Ｆｉｄｅｌｉｔｙ）を介したインターネットを介してコンテンツ設定装置２０と通信する。通信することで、広告コンテンツ２１１、スケジュールデータ２１５及び地域データ２１７を受信することができる。また、通信部１３は、ＧＰＳ受信機１５が受信した現在位置データ（経度及び緯度）をコンテンツ設定装置２０に送信する。なお、デジタルサイネージ装置１０は、装置毎に割り当てられた固有識別ＩＤ（identification）を有しており、現在位置データを送信する際には固有識別ＩＤも同時に送信する。また、通信部１３が現在位置データを送信する時間間隔は、１分毎とか１５分毎とか適宜決めることができる。
【００３６】
近距離無線通信部１７は、ユーザーが携帯する携帯端末３０とデジタルサイネージ装置１０との距離が近づくと近距離通信で認証コードを確認し合い、その後デジタルサイネージ装置１０から携帯端末３０に発信コンテンツ２１３を送信する。また近距離無線通信部１７は、静止画又はテキストデータ等の地域データ２１７を携帯端末３０にを送信する。なお、発信コンテンツ２１３は、不動産物件又は展示会場に来場したユーザーに粗品を与えるクーポンを例に挙げるが、広告コンテンツ２１１に関連する関連情報であれば、その内容は制限されない。
【００３７】
画面制御部１８は、内部記憶部１１に保存されている広告コンテンツ２１１及び地域データ２１７などを表示部１９に表示させる。また、コンテンツ設定装置２０の割り当て指示部２５５からの指示により、画面制御部１８は、デジタルサイネージ装置１０の表示部１９のどこ領域にどの広告コンテンツを表示するかを割り当てて表示部１９に表示させる。また、スケジュール設定部２５６からのスケジュールデータ２１５に基づいて、画面制御部１８は、広告コンテンツ２１１及び地域データ２１７を表示部１９に表示させる。
【００３８】
［広告提供システムの動作］
＜広告コンテンツの配信設定＞
次に本実施形態に係る広告提供システムＳＴの動作について説明する。図３は、広告提供システムＳＴにおいて、広告コンテンツの受領から配信設定までのフローチャートである。図４から図８までを参照して、配信の設定について説明する。
【００３９】
まず、広告主となる不動産会社又はその代理店の広告提供者は、パソコン等のクライアント端末９０を使って、ネットワークＮＷを介してコンテンツ設定装置２０のサイネージ情報サイトに接続する。そしてクライアント端末９０の入力部９２で、クライアントの識別ＩＤ（identification）及びパスワード等を入力し、サイネージ情報サイトにアクセスする（ステップＣ１１）。
【００４０】
コンテンツ設定装置２０の入力画面送信部２５７は、複数に区分けされた地域のどの地域に広告コンテンツを表示するかを入力する画面をクライアント端末９０に送信する（ステップＳ１１）。例えば、図４のような地域入力の画面が送信される。
【００４１】
図４には、全国、都道府県、及び主要地域に分けられた地域を特定する画面が表示されている。入力画面ＡＲ１は、全国、都道府県、及び主要地域にそれぞれボックスＢＸを含んでいる。不動産会社等の広告提供者は、カーソルＣＲを使って広告コンテンツをデジタルサイネージ装置１０で表示させたい地域を選択する。例えば、全国のボックスＢＸを選択すると、そのボックスＢＸの色が変わり、全国中のデジタルサイネージ装置１０に広告コンテンツが表示される設定になる。また、東京都のボックスＢＸを選択されるとそのボックスＢＸの色が変わり、東京都にのデジタルサイネージ装置１０に広告コンテンツが表示される設定になる。東京都のボックスＢＸの右側に“１８３”と表示される。この数字は、デジタルサイネージ装置１０が東京都に配置されている数である。この配置数は、本実施形態のデジタルサイネージ装置１０が移動式であるため、各デジタルサイネージ装置１０から現在位置データを受信するごとに変わっていく。また、関東地方又は東北地方等の地方区分、都道府県を選択すると、その下位の地域の配置数が表示される。このため、図４では、“２３区”の配置数と“多摩地域”の配置数が表示されている。本実施形態では、ボックスＢＸをクリックすると、その地域のデジタルサイネージ装置１０が表示されるが、最初から数字が表示されていてもよい。
【００４２】
なお、本実施形態では、図４に示されるように、“九州すべて”というボックスを設けているが、都道府県ごとの地域設定でもよい。また愛知県のような大都市では、愛知県を３つの地域に分割しているが、３つの地域に分割する必要はない。一方、東京都は“２３区”と“多摩”とにしか分かれていないが、２３区を選択するとポップアップ画面が表示され、２３区を個々に選択できるようにすることが好ましい。もちろん、東京都以外の他の大都市も区で選択できるようにしてもよい。
【００４３】
選択を取り消す場合には、広告提供者は“選択クリア”ボタンＡＲ３をクリックすればよい。また、選択が終わったら“次へ”ボタンＡＲ５をクリックする。“次へ”ボタンＡＲ５をクリックすると、広告コンテンツ等をアップロードする画面（図５）が現れる。
【００４４】
図５は、広告提供者が、広告コンテンツ等をアップロードする画面である。この画面には、広告コンテンツをデジタルサイネージ装置１０の表示部１９の枠サイズ（大サイズ、中サイズ及び小サイズ）を選択するボタンＡＲ１１、広告コンテンツを表示する表示期間を入力する枠ＡＲ１２、記憶部に記憶された不動産の広告コンテンツ２１１をアップロードする枠ＡＲ１３、記憶部に記憶された不動産の発信コンテンツ２１３をアップロードする枠ＡＲ１４が表示される。広告提供者が、枠のサイズ、表示期間、広告コンテンツ２１１及び必要であれば発信コンテンツ２１３もアップロードしたら、完了ボタンＡＲ１５をカーソル等でクリックする。すると、図４で指定した広告を出す地域と図５で指定した広告コンテンツ等とをコンテンツ設定装置２０に送信する（ステップＣ１２）。そして、コンテンツ送受信部２５４が広告を出す地域と広告コンテンツ２１１等とを受信する。なお、不動産の発信コンテンツ２１３は必ずしもアップロードする必要はなく、広告コンテンツ２１１だけをアップロードしてもよい。
【００４５】
コンテンツ設定装置２０は、広告コンテンツ２１１、又は広告コンテンツ２１１及び発信コンテンツ２１３の両方を受信すると、コンテンツ番号を発行して、クライアント端末９０にそのコンテンツ番号（図８を参照。）を送信する（ステップＳ１２）。またこの広告コンテンツの受信に際して、地域関連付け部２５２は、広告コンテンツ２１１及び発信コンテンツ２１３と、地域、表示期間及びコンテンツ番号等とを関連付けて設定する。この広告コンテンツ２１１及び発信コンテンツ２１３は、地域、表示期間、コンテンツ番号等と関連付けられて記憶部１１に記憶される。
【００４６】
コンテンツ設定装置２０の管理者は、割り当て指示部２５５が表示部２９に表示させた画面に広告コンテンツ２１１を割り当てる（ステップＳ１３）。デジタルサイネージ装置１０の表示部１９へ割り当てる。希望する枠サイズを受信しているため、その枠サイズに沿ってレイアウト（割り当て）する。図６は割り当て指示部２５５が表示させた画面の一例である。管理者は表示部２９に表示された画面を見ながら入力部２２で広告コンテンツ２１１を割り当てる。管理者は、デジタルサイネージ装置１０の周りの興味を引くように、割り当て指示部２５５が表示させた画面に従い、その地域毎の有用な情報（イベント、病院、公共施設、避難場所など）の地域データ２１７も同時に表示部１９に表示されるように設定する。
【００４７】
図６に示されるように、割り当て指示部２５５が表示する画面には、項目選択タブ２９１、レイアウト設定枠２９３及び表示時間枠２９５がある。項目選択タブ２９１は、“デザイン”タブ、“スケジュール”タブ、“配信”タブ等を含む。また、レイアウト設定枠２９３は、複数の操作ボタンを有している。テロップボタンＤＳ１は、タイトルや字幕等を設定するボタンである。スクリーン追加ボタンＤＳ２は、表示枠ＤＳ６に広告コンテンツ２１１用のスクリーン枠※を追加するボタンである。保存ボタンＤＳ３は、スクリーン枠が割り当てられたレイアウトの保存を指示するボタンである。開くボタンＤＳ４は、広告コンテンツ２１１を記憶部２１から読み出すボタンである。また、プレビューボタンＤＳ５は、スクリーン枠※が割り当てたレイアウトで広告コンテンツ２１１等を前もって表示するボタンである。
【００４８】
最初は、レイアウト設定枠２９３には表示枠ＤＳ６のみが表示されている。管理者がスクリーン追加ボタンＤＳ２をカーソルＣＲで４回クリックすると、スクリーン枠※１からスクリーン枠※４が表示され、管理者がカーソルＣＲでスクリーン枠※１の大きさを変更することで、図６に示された表示枠ＤＳ６にスクリーン枠※１からスクリーン枠※４が割り当てられる。なお、広告コンテンツ２１１用に希望する枠サイズ（大サイズ、中サイズ及び小サイズ）を受信しているため、少なくとも１つのスクリーン枠※は、その枠サイズ以下にならないように制限がかかる。
【００４９】
そして、管理者はテロップボタンＤＳ１をクリックして、入力部２２を使ってスクリーン枠※１及びスクリーン枠※３にそれぞれのタイトルや字幕などを入力する。さらに管理者は、開くボタンＤＳ３をクリックして、スクリーン枠※２に記憶部２１の広告コンテンツ２１１を貼り付けるとともに、スクリーン枠※４に記憶部２１の地域データ２１７を貼り付ける。そして管理者がプレビューボタンＤＳ５をクリックすると、表示枠ＤＳ６の右側に、タイトル、広告コンテンツ２１１及び地域データ２１７が表示されたプレビュー画面ＤＳ７が表示される。スクリーン枠※２及びスクリーン枠※４には、それぞれ２以上の動画を時間割りで表示することも可能である。
【００５０】
表示時間枠２９５は、動画である広告コンテンツ２１１及び地域データ２１７が何分間の動画であるかを表示する。例えば、“プライムマンション”の動画は１２分であり、“千代田区おすすめ情報”及び“２３区おすすめ情報”の動画が６分であることを示している。地域データ２１７は、前半の６分間が“千代田区おすすめ情報”であり、後半の６分間が“２３区おすすめ情報”である。このように、管理者は、スクリーン枠※２及びスクリーン枠※４に、どのようなタイミングで動画が表示されるか理解できる。
【００５１】
再び図３に戻り、コンテンツ設定装置２０の管理者は、スケジュール設定部２５６が表示部２９に表示させた画面に従い、広告コンテンツ２１１のスケジュールを設定する（ステップＳ１４）。管理者が、項目選択タブ２９１で“スケジュール”タブをクリックすれば、スケジュール設定部２５６が表示する画面に切り替わる。
【００５２】
図７はスケジュール設定部２５６が表示部２９に表示させた画面の一例である。管理者は表示部２９に表示された画面を見ながら入力部２２で一週間のスケジュール２１５を設定する。図７は、週間設定ボタンＳＫ１がクリックされた例であり、その左側が日間設定ボタンであり、右側が月間設定ボタンである。図７では、日曜日から土曜日まで８：００から２２：００まで例えば１時間単位で設定できる。このスケジュールデータ２１５は、デジタルサイネージ装置１０が表示部１９に表示する時間であり、広告コンテンツ２１５をコンテンツ設定装置２０からデジタルサイネージ装置１０に配信するタイミングではない。各曜日ごとに時間バーＳＫ２が表示されているため、管理者はカーソルＣＲの時間バーの上端又は下端を上下に動かすことで、デジタルサイネージ装置１０に表示する時間を設定できる。画像枠ＳＫ３には、割り当て指示部２５５で指示したファイルが表示される。
【００５３】
再び図３に戻り、コンテンツ設定装置２０の管理者は、コンテンツ等の配信を確認する（ステップＳ１５）。管理者が、項目選択タブ２９１で“配信”タブをクリックすれば、図８の画面に切り替わる。
【００５４】
図８は、設定した広告コンテンツ２１１及び発信コンテンツ２１３が配信される状態になっているかを確認する画面である。画面には、広告コンテンツ枠２９７と、地域データ枠２９８と、広告コンテンツに関する関連情報を携帯端末へ発信する発信コンテンツ枠２９９Ａと、地域データに関する関連情報を携帯端末へ発信する発信コンテンツ枠２９９Ｂが用意されている。本実施形態では、携帯端末へ発信する地域データに関する関連情報は、地域データ２１７と同じ情報であるため、特に説明していないが、地域データ２１７とその関連情報とが異なる情報であってもよい。
【００５５】
広告コンテンツ枠２９７に、広告コンテンツ２１１の広告コンテンツ番号、コンテンツ名、広告する地域及び広告期間、スケジュールが表示されている。また、地域データ枠２９８も同様に、地域データ枠２９８のコンテンツ番号、コンテンツ名、表示する地域及び表示期間等が表示されている。
【００５６】
広告コンテンツ用の発信コンテンツ枠２９９Ａに、発信コンテンツ２１３のコンテンツ番号、コンテンツ名、及び広告する地域及び広告期間が表示されている。基本的に広告コンテンツ２１１と発信コンテンツ２１３とは地域、広告期間が一致している。また、地域データの発信コンテンツ枠２９９Ｂも同様である。
【００５７】
＜広告コンテンツの配信＞
図９は、コンテンツ設定装置２０からデジタルサイネージ装置１０への広告コンテンツを配信のフローチャートである。
【００５８】
デジタルサイネージ装置１０は、ＧＰＳ受信機１５（図２を参照）で現在位置を受信する（ステップＤ１１）。そして、デジタルサイネージ装置１０はその現在位置データを通信部１３を介して送信して、コンテンツ設定装置２０の位置情報受信部２５１が現在位置データを受信する（ステップＤ１２）。なお、現在位置データの受信時には、デジタルサイネージ装置１０の固有認証ＩＤが含まれる。このフローチャートの説明では、デジタルサイネージ装置１０が自動車に搭載されていることを前提とする。
【００５９】
コンテンツ設定装置２０の地域判定部２５３は、そのデジタルサイネージ装置１０がどの地域にあるかを判断する（ステップＳ１６）。そして、コンテンツ設定装置２０は、その地域の広告コンテンツ２１１及び地域データ２１７を抽出する。例えば、現在位置データが東京都千代田区であったと仮定する。すると、図８の広告コンテンツ枠２９７に示される、“＃１  プレミアマンション”の広告コンテンツ２１１が抽出され、地域データ枠２９８に示される、“＃Ｔ０１  千代田区おすすめ情報”及び“＃Ｔ０５  ２３区おすすめ情報”の地域データ２１７が抽出される。さらに図８の発信コンテンツ枠２９９Ａに示される、“＃１０１  プレミアマンション  来場クーポン”の発信コンテンツ２１３が抽出され、地域データ枠２９９Ｂに示される、“＃Ｔ１０１  千代田区おすすめ情報”の地域データ２１７が抽出される。
【００６０】
次にコンテンツ設定装置２０の表示期間判定部２５８は、抽出された広告コンテンツ２１１、発信コンテンツ２１３及び地域データ２１７が表示期間内に入っているかを判断する（ステップＳ１７）。仮に３月１０日だとすると、上記“＃１  プレミアマンション”の広告コンテンツ２１１、“＃Ｔ０１  千代田区おすすめ情報”及び“＃Ｔ０５  ２３区おすすめ情報”の地域データ２１７は、表示期間内に入っている。また、発信コンテンツ２１３の“＃１０１  プレミアマンション  来場クーポン”の発信コンテンツ２１３、及び“＃Ｔ１０１  千代田区おすすめ情報”の地域データ２１７も、表示期間内に入っている。
【００６１】
そして、コンテンツ送受信部２５４は、該当する広告コンテンツ２１３、地域データ２１２７を、割り当てや枠サイズ等も含めてそのデジタルサイネージ装置１０に送信する（ステップＳ１８）。すでに同じコンテンツが送られている場合には、コンテンツ送受信部２５４は、コンテンツを送信しなくてもよい。
【００６２】
デジタルサイネージ装置１０は、通信部１３（図２を参照）を介して受信した広告コンテンツ２１１、発信コンテンツ２１３及び地域データ２１７が、デジタルサイネージ装置１０内の内部記憶部１１に記憶されたそれらを同じか否かを判断する（ステップＤ１３）。同じコンテンツであれば、そのデータを上書きするか廃棄する（ステップＤ１８）。
【００６３】
そして、デジタルサイネージ装置１０の画面制御部１８は、受信したスケジュール、枠サイズ、及び割り当てに基づき、広告コンテンツ２１１及び地域データ２１７を表示部１９に表示させる（ステップＤ１４）。
【００６４】
広告コンテンツ等を表示中においても、ＧＰＳ受信機１５はデジタルサイネージ装置１０の現在位置を確認し、表示中のコンテンツが有する地域にあるか否かを判断する（ステップＤ１５）。その地域内にデジタルサイネージ装置１０があれば、引き続きそれらの広告コンテンツ２１１等を表示部１９に表示させる。その地域外にデジタルサイネージ装置１０があれば、ステップＤ１６に進む。ステップＤ１６では、それら広告コンテンツ２１１等の表示時間の最終までを一区切りとして表示する。
【００６５】
ステップＤ１６では、それら広告コンテンツ２１１等の表示時間の最終までを一区切りとして表示する。例えば、図６の表示時間枠２９５に示されるように、“プレミアマンション”の広告コンテンツ２１１が１２分である。自動車に載ったデジタルサイネージ装置１０が千代田区から中央区に移動した場合に、“プレミアマンション”の広告コンテンツ２１１が３分間しか表示されていないとする。このような場合に、残りの９分間（最後まで）“プレミアマンション”の広告コンテンツ２１１が表示される。
【００６６】
デジタルサイネージ装置１０が千代田区から中央区に移動すると、ステップＳ１６からステップＳ１８で説明したように、図８の広告コンテンツ枠２９７に示される、“＃３  マンション  ル・プラス”の広告コンテンツ２１１が抽出される。また、“＃Ｔ０４  中央区おすすめ情報”及び“＃Ｔ０５  ２３区おすすめ情報”の地域データ２１７が抽出される。さらに図８の発信コンテンツ枠２９９Ａに示される、“＃１０３  マンション  ル・プラス  来場予約ＵＲＬ”の発信コンテンツ２１３が抽出され、地域データ枠２９９Ｂに示される、“＃Ｔ１０４  中央区おすすめ情報”の地域データ２１７が抽出される。
【００６７】
そして、それらのコンテンツがコンテンツ設定装置２０からデジタルサイネージ装置１０に送信される。デジタルサイネージ装置１０の表示部１９は、“＃３  マンション  ル・プラス”の広告コンテンツ２１１及び、“＃４  中央区おすすめ情報”及び“＃５  ２３区おすすめ情報”を表示する。
【００６８】
次に、デジタルサイネージ装置１０が受信した発信コンテンツ２１３及び地域データ２１７が携帯端末３０に発信される例について説明する。図１０（Ａ）は、携帯端末３０に発信コンテンツが表示されるまでのフローチャートであり、図１０（Ｂ）は、携帯端末３０に表示された発信コンテンツの項目選択の例である。
【００６９】
まず、ユーザーの携帯する携帯端末３０が、デジタルサイネージ装置１０からの接続要求を受信するまで待ち受け状態である。携帯端末３０とデジタルサイネージ装置１０の近距離無線通信部１７とがBluetooth（登録商標）やZigBee（登録商標）などの無線通信が可能な範囲に入ると、携帯端末３０が近距離無線通信部１７から送信される接続要求を受信する。すると携帯端末３０が待ち状態を解除する（ステップＫ３１）。
【００７０】
携帯端末３０は、デジタルサイネージ装置１０の近距離無線通信部１７に対して認証コードを要求する（ステップＫ３２）。次に、近距離無線通信部１７は、携帯端末３０に無線通信で認証コードを送信する（ステップＫ３３）。次に、携帯端末３０は、その記憶部から事前にインストールしたアプリに含まれている認証コードを取り出し、近距離無線通信部１７から受信した認証コードと同じ認証コードであるかを判定する。近距離無線通信部１７から受信した認証コードと同じ認証コードが設定されていると、携帯端末３０は、近距離無線通信部１７と接続を行う。このように携帯端末３０が近距離無線通信部１７と接続することで、携帯端末３０とデジタルサイネージ装置１０が無線通信によりデータの送受信が可能となる（ステップＫ３４）。
【００７１】
次に、携帯端末３０は、近距離無線通信部１７に発信コンテンツを要求し、デジタルサイネージ装置１０の内部記憶部１１に記憶された発信コンテンツ及び地域データの項目（タイトル）を受信する。そして、携帯端末３０は、その表示部３９にこれらの項目を表示する（ステップＫ３５）。例えば、図１０（Ｂ）に示される情報の受取り画面は、“必要な情報を選択し、選択後、完了ボタンを押してください。”との指示が表示される。その下に、項目（タイトル）が表示され、その右側に選択ボタン３９２、３９４が表示される。不要であれば、不要ボタン３９５をタッチする。ユーザーがこれらの情報を必要だと判断したら、選択ボタン３９２及び３９４をタッチして、完了ボタン３９６をタッチする。
【００７２】
少なくとも選択ボタン３９２又は３９４をタッチして、さらに完了ボタン３９６をタッチすると、携帯端末３０から発信コンテンツ２１３及び地域データ２１７を要求することになる（ステップＫ３６）。そして携帯端末３０は、近距離無線通信部１７を介して発信コンテンツ２１３及び地域データ２１７を受信する（ステップＫ３７）。その後、携帯端末３０は近距離無線通信部１７との接続を解除する。このように近距離無線通信部１７との接続を解除することで、携帯端末３０と近距離無線通信部１７が無線通信によるデータの送受信が不可となる（ステップＫ３８）最後に、携帯端末３０は、その表示部３９に発信コンテンツ２１３又は地域データ２１７を表示し、近距離無線通信部１７から接続要求を受信するまで待ち状態とするステップＫ３１に戻る（ステップＫ３９）
【産業上の利用可能性】
【００７３】
本実施形態では、コンテンツ設定装置２０の入力画面送信部２５７が、図４のような地域入力の画面、枠サイズを決定する画面、広告コンテンツを表示する表示期間を入力する画面、広告コンテンツをアップロードする画面を送信した。しかし、入力画面送信部２５７が、広告コンテンツをアップロードする画面のみを送信し、その他の地域入力、枠サイズ、もしくは表示期間を電子メール又は電話で受け付けるようにしてもよい。
【符号の説明】
【００７４】
１０  …  デジタルサイネージ装置
１１  …  内部記憶部
１３  …  通信部
１５  …  ＧＰＳ受信機
１７  …  近距離無線通信部
１８  …  表示制御部
１９  …  サイネージ表示部
２０  …  コンテンツ設定装置
２１  …  記憶部２１  （２１１  …  広告コンテンツ、２１３  …  発信コンテンツ、２１５  …  スケジュールデータ、２１７  …  地域データ、２１９  …  デジタルサイネージデータ）
２２  …  入力部
２５  …  制御部  （２５１  …  位置情報受信部、２５２  …  地域関連付け部２５２、２５３  …  地域判定部、２５４  …  コンテンツ送受信部、２５５  …  割り当て指示部、２５６  …  スケジュール設定部、２５７  …  入力画面送信部、２５８  …  表示期間判定部）
２９  …  表示部
３０  …  携帯端末（３９  …  携帯端末表示部）
９０  …  クライアント端末
ＳＴ  …  広告提供システム
【図１】
2016143297.tif 000003
【図２】
2016143297.tif 000004
【図３】
2016143297.tif 000005
【図４】
2016143297.tif 000006
【図５】
2016143297.tif 000007
【図６】
2016143297.tif 000008
【図７】
2016143297.tif 000009
【図８】
2016143297.tif 000010
【図９】
2016143297.tif 000011
【図１０】
2016143297.tif 000012